(57)【要約】【課題】コンセント差込口の向きを容易に変更することができるラック用コンセントバーを提供する。【解決手段】ラック用コンセントバー１は、機器収納用ラックのフレームに固定される上側固定片３と下側固定片２と、これらの固定片２，３間に回動可能に設けられるコンセントバー本体４と、コンセントバー本体４の回動をロックするノブボルト５とで構成している。上側固定片３は軸孔３ｂにノブボルト５のネジ部５ａが挿通されてコンセントバー本体４のネジ孔４ｄに螺合され、下側固定片２は軸孔２ｂにコンセントバー本体４の円筒部４ｆが嵌合されて取り付けられている。ノブボルト５を緩めることによりコンセントバー本体４はノブボルト５のネジ部５ａと、コンセントバー本体４の円筒部４ｆを回転軸にして回動させることができる。また、ノブボルト５を締め付けることにより回動をロックすることができる。【選択図】        図１
2004296222.tif 000002
【特許請求の範囲】
【請求項１】
機器収納用ラックのフレームに固定されるラック用コンセントバーにおいて、前記フレームに固定される２つの固定片と、該固定片間に回動可能に設けられるコンセントバー本体と、該コンセントバー本体の回動をロックするロック部材とで構成したことを特徴とするラック用コンセントバー。
【請求項２】
前記コンセントバー本体は複数個で構成し、個別に回動可能であることを特徴とする請求項１に記載のラック用コンセントバー。
【発明の詳細な説明】
【０００１】
【発明の属する技術分野】
本発明は、通信機器等を収納する機器収納用ラックのフレームに取り付けられるコンセントバーに関する。
【０００２】
【従来の技術】
従来、通信機器等を収納する機器収納用ラックに設けられるラック用コンセントバーは、複数のコンセント差込口を有するコンセントバー本体の上下側面に略Ｌ字状の取り付け金具が螺着固定され、この取り付け金具を介して機器収納用ラックのフレームに螺着固定していた（例えば、非特許文献１参照。）。
【０００３】
【非特許文献１】
“カワムラ  ラックカタログ  Ｎｏ．７  改訂版”、河村電器産業株式会社、２００２年５月１０日、ｐ．１１７
【０００４】
【発明が解決しようとする課題】
このため、コンセント差込口の向きを変更するには、一旦、ラック用コンセントバーを機器収納用ラックのフレームから取り外し、取り付け金具の取付方向を変更してからラック用コンセントバーを機器収納用ラックのフレームに取り付けなければならなかった。このとき、機器収納用ラックに他の機器が搭載されていると、作業性が悪く、また、作業ができない場合もあった。
【０００５】
そこで上記問題点に鑑み、本発明の目的は、コンセント差込口の向きを容易に変更することができるラック用コンセントバーを提供することである。
【０００６】
【課題を解決するための手段】
上記目的を達成するために、請求項１に記載の発明によれば、機器収納用ラックのフレームに固定されるラック用コンセントバーにおいて、フレームに固定される２つの固定片と、固定片間に回動可能に設けられるコンセントバー本体と、コンセントバー本体の回動をロックするロック部材とで構成したことを特徴とする。
【０００７】
請求項２に記載の発明によれば、請求項１に記載のラック用コンセントバーにおいて、コンセントバー本体は複数個で構成し、個別に回動可能であることを特徴とする。
【０００８】
【発明の実施の形態】
請求項１に記載の発明によれば、機器収納用ラックのフレームに固定されるラック用コンセントバーにおいて、フレームに固定される２つの固定片と、固定片間に回動可能に設けられるコンセントバー本体と、コンセントバー本体の回動をロックするロック部材とで構成したことにより、コンセント差込口の向きを容易に変更することができる。
【０００９】
請求項２に記載の発明によれば、請求項１に記載のラック用コンセントバーにおいて、コンセントバー本体は複数個で構成し、個別に回動可能であることにより、コンセント差込口の向きを異なる方向にすることができ、利便性が向上する。
【００１０】
【実施例】
本発明に係るラック用コンセントバーの第１実施例を図１及び図２の添付図面に基づいて説明する。
【００１１】
ラック用コンセントバー１は、図示しない機器収納用ラックのフレームに固定される２つの固定片２，３と、固定片２，３間に回動可能に設けられるコンセントバー本体４と、コンセントバー本体４の回動をロックするロック部材としてのノブボルト５とで構成している。
【００１２】
コンセントバー本体４は上下方向に長い箱状に形成され、長手方向側面４ａに複数のコンセント差込口４ｂが露出するように設けられている。上側面４ｃはノブボルト５が螺合するネジ孔４ｄが穿設され、下側面４ｅは内部でコンセント差込口４ｂに電気的に接続された電源コード６を外部に引き出すための円筒部４ｆが形成されている。電源コード６の先端には電源プラグ７が設けられている。
【００１３】
コンセントバー本体４の下側面４ｅを支持する下側固定片２は略Ｌ字状に形成され、水平面２ａに軸孔２ｂが穿設され、コンセントバー本体４の円筒部４ｆが嵌合される。垂直面２ｃは３つの縦長形状の長孔２ｄが穿設されている。また、コンセントバー本体４の上側面４ｃを支持する上側固定片３も下側固定片２と同様に略Ｌ字状に形成され、水平面３ａに軸孔３ｂが穿設され、ノブボルト５のネジ部５ａが挿通されてコンセントバー本体４のネジ孔４ｄに螺合されている。垂直面３ｃには３つの縦長形状の長孔３ｄが穿設されている。
【００１４】
こうして組み立てられたラック用コンセントバー１は、上側固定片３の垂直面３ｃに形成された長孔３ｄと下側固定片２の垂直面２ｃに形成された長孔２ｄに図示しない取付ネジを夫々挿通させて機器収納用ラックのフレームに螺着固定される。
【００１５】
ラック用コンセントバー１はノブボルト５のつまみ５ｂを手で回して緩めることにより、ノブボルト５のネジ部５ａと、コンセントバー本体４の円筒部４ｆを回転軸にしてコンセントバー本体４を回動させることができ、また、ノブボルト５のつまみ５ｂを手で回して締め付けることによりコンセントバー本体４ｆの回動をロックすることができる。ノブボルト５は手で簡単に回すことができるので工具を用意する必要がなく、作業性が良い。
【００１６】
尚、本実施例においてコンセントバー本体内から電源コードを外部に引き出す構造として電源コードを円筒部に挿通させたが、例えば、回転機構を備えたコネクタを円筒部に設け、コネクタを介してコンセントバー本体内の電源コードとコンセントバー本体の外部の電源コードとを接続することにより、コンセントバー本体を回転させた際の電源コードのねじれを防止することができる。
【００１７】
本発明に係るラック用コンセントバーの第２実施例を図３及び図４の添付図面に基づいて説明する。尚、第１実施例と同一部分には同一符号を付し、説明を省略する。
【００１８】
ラック用コンセントバー１１は、コンセントバー本体が上側コンセントバー本体１４と下側コンセントバー本体１５の２つに分割して形成されている。
【００１９】
上側コンセントバー本体１４と下側コンセントバー本体１５の連結部は、上側コンセントバー本体１４側に穿設された係合孔１４ａに、下側コンセントバー本体１５側に突設された筒状係合部１５ａが係合することにより、上側コンセントバー本体１４と下側コンセントバー本体１５とが互いに回転するように連結されている。
【００２０】
上側コンセントバー本体１４のコンセント差込口１４ｂに電気的に接続される電源コード６は筒状係合部１５ａの内側を挿通して下側コンセントバー本体１５から上側コンセントバー本体１４に挿通されている。
【００２１】
このように形成したラック用コンセントバー１１は、上側コンセントバー本体１４と下側コンセントバー本体１５を個別に回動させることができる。
【００２２】
尚、本実施例においてコンセントバー本体は２個で構成したが、コンセントバー本体の数を増やしても良く、限定はない。また、連結部で電源コードを挿通させたが、例えば、回転機構を備えたコネクタを連結部に設け、コネクタを介して上側コンセントバー本体内の電源コードと下側コンセントバー本体内の電源コードとを接続することにより、上側コンセントバー本体又は下側コンセントバー本体を回転させた際の電源コードのねじれを防止することができる。
【００２３】
尚、本発明においてコンセントバー本体の回転構造やロック構造、コンセントバー本体同士の連結構造、ラック用コンセントバーの取り付け構造等について限定はなく、本発明の趣旨を逸脱しない範囲で適宜変更可能である。
【００２４】
【発明の効果】
以上説明したように請求項１に記載の発明によれば、機器収納用ラックのフレームに固定されるラック用コンセントバーにおいて、フレームに固定される２つの固定片と、固定片間に回動可能に設けられるコンセントバー本体と、コンセントバー本体の回動をロックするロック部材とで構成したことにより、コンセント差込口の向きを容易に変更することができるという効果がある。
【００２５】
請求項２に記載の発明によれば、請求項１に記載のラック用コンセントバーにおいて、コンセントバー本体は複数個で構成し、個別に回動可能であることにより、コンセント差込口の向きを異なる方向にすることができ、利便性が向上するという効果がある。
【図面の簡単な説明】
【図１】本発明の第１実施例に係るラック用コンセントバーの分解斜視図である。
【図２】本発明の第１実施例に係るラック用コンセントバーの斜視図であり、（ａ）から（ｃ）にかけて９０゜ずつ回転させた状態を示す。
【図３】本発明の第２実施例に係るラック用コンセントバーの分解斜視図である。
【図４】本発明の第２実施例に係るラック用コンセントバーの斜視図であり、（ａ）から（ｅ）にかけて上下のコンセントバー本体を個別に回転させた様子を示す。
【符号の説明】
１…ラック用コンセントバー
２…下側固定片
３…上側固定片
４…コンセントバー本体
５…ノブボルト
６…電源コード
７…電源プラグ
【図１】
2004296222.tif 000003
【図２】
2004296222.tif 000004
【図３】
2004296222.tif 000005
【図４】
2004296222.tif 000006